(57)【要約】      （修正有）【課題】  車輪付きキャリーバッグにおいて、車輪を底面から露出させることなく、内部に収納すると同時に、キャリーバッグの底部を折り畳んでコンパクトにできるようにすること。【解決手段】  底面１に隣接した底部23の４つの側面のうち、一つの側面６の周縁に垂直方向下方に向かってコ字状に第１ジッパーティース部７を形成し、他の３側面の上縁に水平方向にコ字状に第２ジッパーティース部８を形成する。そして、第１ジッパーティース部７と第２ジッパーティース部８とがスライド９を介して歯合するジッパー10により、その底部23を折り畳んで開平自在に閉塞し、その閉塞された底部23内に車輪２を収納する。【選択図】図１
2007037755.tif 000002
【特許請求の範囲】
【請求項１】
底面(1) に車輪(2) が取付られたキャリーバックにおいて、
その底面(1) に隣接した底部(23)の四つの側面(3) (4) (5) (6) の内、一側面(6) の周縁に垂直方向下方に向けてコ字状に第１ジッパーティース部(7) が形成され、他の３側面(3) (4) (5) の上縁には水平方向にコ字状に第２ジッパーティース部(8) が形成され、
その第１ジッパーティース部(7) と第２ジッパーティース部(8) とがスライド(9) を介して歯合するジッパー(10)により、その底部(23)を折り畳んで開閉自在に閉塞することができ、
その閉塞された底部(23)内に前記車輪(2) が収納されるように構成したキャリーバック。
【請求項２】
底面(1) に車輪(2) が取付られたキャリーバックにおいて、
その底面(1) に隣接した底部(23)の四つの側面(3) (4) (5) (6) の内、一側面(6) の一対の両側縁および底面(1) に平行な中間位置にコ字状に第１ジッパーティース部(7) が形成され、他の３側面(3) (4) (5) の上縁には水平方向にコ字状に第２ジッパーティース部(8) が形成され、
その第１ジッパーティース部(7) と第２ジッパーティース部(8) とがスライド(9) を介して歯合するジッパー(10)により、その底部(23)を折り畳んで開閉自在に閉塞することができ、
その閉塞された底部(23)内に前記車輪(2) が収納されるように構成したキャリーバック。
【請求項３】
請求項１または請求項２において、
前記車輪(2) が前記底面(1) に起倒自在なアーム部(11)を介して折り畳み自在に取付られたキャリーバック。
【請求項４】
請求項１または請求項２において、
前記車輪(2) が前記底面(1) に固定的に軸支されたキャリーバック。
【発明の詳細な説明】
【技術分野】
【０００１】
本発明は、バッグ本体の下面に車輪を有するキャリーバッグに関する。
【背景技術】
【０００２】
車輪を有するキャリーバッグは、バッグ本体の底面に固定的な車輪または、折り畳み自在な車輪を突設したものである。折りたたみ自在な車輪を有するもので、荷物が軽量な場合あるいは、荷物のない場合には、車輪を折りたたみ、キャリーバッグを手で持ち上げて移動することが多い。
【発明の開示】
【発明が解決しようとする課題】
【０００３】
従来の車輪付きキャリーバッグは、その下面に突設された車輪を折りたたんで、その車輪のアーム分だけ全体の長さを短くし持ち運ぶことができる。しかしながら、バッグ内にほとんど荷物が存在しない場合には、キャリーバック全体をよりコンパクトにして、体裁よく持ち運ぶことができるとともに、重量物等をキャリーバッグに収納するときには、キャリーバッグを大きくして車輪を取り付けることができるものが望まれる。
そこで本発明は、係る課題を解決することを目的とする。
【課題を解決するための手段】
【０００４】
請求項１に記載の本発明は、底面(1) に車輪(2) が取付られたキャリーバックにおいて、
その底面(1) に隣接した底部(23)の四つの側面(3) (4) (5) (6) の内、一側面(6) の周縁に垂直方向下方に向けてコ字状に第１ジッパーティース部(7) が形成され、他の３側面(3) (4) (5) の上縁には水平方向にコ字状に第２ジッパーティース部(8) が形成され、
その第１ジッパーティース部(7) と第２ジッパーティース部(8) とがスライド(9) を介して歯合するジッパー(10)により、その底部(23)を折り畳んで開閉自在に閉塞することができ、
その閉塞される底部(23)内に前記車輪(2) が収納されるように構成したキャリーバックである。
【０００５】
請求項２に記載の発明は、  底面(1) に車輪(2) が取付られたキャリーバックにおいて、
その底面(1) に隣接した底部(23)の四つの側面(3) (4) (5) (6) の内、一側面(6) の一対の両側縁および底面(1) に平行な中間位置にコ字状に第１ジッパーティース部(7) が形成され、他の３側面(3) (4) (5) の上縁には水平方向にコ字状に第２ジッパーティース部(8) が形成され、
その第１ジッパーティース部(7) と第２ジッパーティース部(8) とがスライド(9) を介して歯合するジッパー(10)により、その底部(23)を折り畳んで開閉自在に閉塞することができ、
その閉塞された底部(23)内に前記車輪(2) が収納されるように構成したキャリーバックである。
【０００６】
請求項３に記載の本発明は、請求項１または請求項２において、
前記車輪(2) が前記底面(1) に起倒自在なアーム部(11)を介して折り畳み自在に取付られたキャリーバックである。
【０００７】
請求項４に記載の本発明は、請求項１または請求項２において、
前記車輪(2) が前記底面(1) に固定的に軸支されたキャリーバックである。
【発明の効果】
【０００８】
本発明のキャリーバッグは、ジッパー10によりキャリーバッグの底部23を折り畳んで開平自在に閉塞することができ、その閉塞された底部23内に車輪２を収納できるように構成したから、荷物が少ないか存在しない場合には、底部23を折り畳んで車輪２を内部に隠すことができる。それと同時に、底部を折り畳んだ分だけキャリーバックの長さを縮小して、コンパクトにそれを持ち運ぶことができる。
【０００９】
また、キャリーバッグ内に重量物等を収納するこきは、ジッパー10を開放し、そのバックの長さを長くすると共に、底面１に車輪２を露出させて、それを路面に接地させ、路上を引っ張っていくことができる。
【発明を実施するための最良の形態】
【００１０】
次に、図面に基づき本発明の実施の形態につき説明する。図１は本発明のキャリーバッグの要部斜視図であり、その底部を折りたたむ第１段階を示し、図２はその第２段階、図３はその第３段階を示す。また、図４はその底部23を引き伸ばした状態を示し、図５は同状態から車輪２を突出させた状態を示す。さらに、図６は図３のVI−VI矢視断面図である。また、図７は底部23を引き伸ばすとともに車輪２を起立させた状態の要部縦断面図である。
【００１１】
このキャリーバッグは、バック本体17に大きな重量物を収納したい場合に、図５の如く底部23を伸ばし車輪２を底面１から突出させて路上を引っ張ることができる。また、バック本体17内部にほとんど荷物がないときには、図３に示す如くその底部を折り畳んでジッパー10を閉じ、側面６が底面に位置するようにバックの長さを縮小して、コンパクトなキャリーバッグとして持ち運ぶことができるものである。
【００１２】
また、このキャリーバッグは図４、図５から明らかなように、その底面１に車輪２が取り付けられたものである。底面１の内部には図７に示す板材24が取付材22のフランジを介してリベット25により固定されている。そして、底面１に隣接する４つの側面３、４、５、６で底部23を構成し、図４、図５の如く、その一つの側面６の周縁に垂直方向下方に向けてコ字状に第１ジッパーティース部７を形成する。そして、他の３つの側面３，４，５の上縁に水平方向にコ字状に第２ジッパーティース部８が形成されている。この第１ジッパーティース部７の全長と第２ジッパーティース部８の全長とは等しい。
【００１３】
この例では互いに平行な両側面３，５は正方形に形成されている。そして、その第２ジッパーティース部８と第１ジッパーティース部７との交点にジッパー10の起点が設けられ、図の状態ではそこにスライド９およびプルタブ16が位置する。このジッパー10はスライド９の移動によって第１ジッパーティース部７と第２ジッパーティース部８とを歯合させ、底部23を折り畳んでその内部に車輪２を収納するものである。なお、車輪２はこの例では、折り畳み自在に形成されている。即ち、取付材22に脚部12と一体をなすアーム部11を介し車輪２が起倒自在に収納されている。
【００１４】
このアーム部11と脚部12とは取付材22の内部で連結され、全体がコ字状に形成されている。また、脚部12には折返し部13が曲折され、それが弾性変形自在に設けられている。そして、折返し部13の先端が図１の如く取付材22の端面に圧接する。同図において、脚部12を起立させると、折返し部13の弾性力により、アーム部11が立設用ガイド26に嵌着し、その状態を保持するものである。
【００１５】
（作用）
次に、本発明のキャリーバッグの車輪２の収納方法につき述べる。
図５の如く、車輪２を起立させた状態から、図３に示すようにその車輪２を折り畳んで内部に収納するは、先ず脚部12をアーム部11側に押し込み、図１における立設用ガイド26からアーム部11を外して、90°回転させる。ついで、図１の如く底面１、側面３，４，５を折り畳み、更に図２の如く側面３，５を底部23の中心側に折り曲げ、側面６を第２ジッパーティース部８側に移動させる。そして、プルタブ16を引張り、スライド９を介して第１ジッパーティース部７と第２ジッパーティース部８とを歯合させる。
【００１６】
すると、図３および図６の如く複数の車輪２が折り畳まれた状態で底部23内に収納される。それにより、キャリーバッグは図５のような底部23が引き伸ばされた状態から、それが折り畳まれて縮小した図３の状態になる。そこで、取手18を把持すれば、コンパクトで持ち易いキャリーバッグとなる。
なお、車輪２の収納状態から、バックの底部を引き延ばして、車輪２を突出させるには、前記と逆の手順により行えばよい。
【００１７】
次に、図８は本発明のキャリーバッグの第２の実施の形態を示す。
このバッグが図１のそれと異なる点は、車輪２が取付材22に固定的に軸支され、取付材22に対して車輪２を折り畳むことができないものである。他は図１のそれと同じである。
次に、図９，図１０は本発明の第３の実施の形態を示し、図９の（Ａ）はその底部を引き延ばした斜視図であり、（Ｂ）はその底部の要部断面図、図１０（Ａ）はその底部を折り畳んだ状態の斜視図（Ｂ）はその要部断面図である。
【００１８】
この例が前記第１の実施例と異なる点は、折り畳まれる布製の底部23の長さが図５のそれより長いこと、車輪２が底面１に４つ固定的に取付られていること、リュクサックタイプであることである。
【００１９】
その底面１ に隣接した底部23の四つの側面３，４，５，６ の内、一側面６ の一対の両側縁および底面１に平行な中間位置にコ字状に第１ジッパーティース部７ が形成され、その下側にジッパーティースの存在しない余長部６ａが延長する。他の３側面３，４，５の上縁には水平方向にコ字状に第２ジッパーティース部８ が形成されている。第１ジッパーティース部７の全長と第２ジッパーティース部８のそれとは等しい。それと共に、第１ジッパーティース部７のコ字状の両側の長さは、第２ジッパーティース部８のコ字状の両側の長さは等しい。
【００２０】
図10のように底部23が折り畳まれるとき、一側面６はその余長部６ａのみが内部に収納される。この実施例では、折り畳み状態でよりコンパクトとなる。即ち、底部23を引き延ばした状態と、折り畳んだ状態との各長さの比を大きくとれる。
次に、図１１は本発明の第４の実施例であり、（Ａ）はその底部２３を引き延ばした状態を示し、（Ｂ）は底部を折り畳んだ状態を示す。この例が前記図９，図１０の例と異なる点は、底面１の固定車輪２が二つのみであること、スーツケースタイプであることであり、他は同一である。なお、この例でも、その底部２３は屈曲自在な布材からなる。
【図面の簡単な説明】
【００２１】
【図１】本発明のキャリーバッグの要部斜視図であり、その底部を折り畳む第１段階を示す図。
【図２】その底部を折り畳む第２段階を示す図。
【図３】その底部を折り畳む第３段階を示す図。
【図４】その底部23を引き伸ばした状態を示す図。
【図５】同状態から車輪２を突出させた状態を示す図。
【図６】図３のVI−VI矢視断面図。
【００２２】
【図７】底部23を引き伸ばすとともに車輪２を起立させた状態の要部縦断面図。
【図８】本発明のキャリーバッグの第２の実施の形態を示す斜視図。
【図９】本発明のキャリーバッグの第３の実施の形態を示し、その底部を伸ばした状態を示す斜視図および断面図。
【図１０】同キャリーバッグの底部を折り畳んだ状態を示す斜視図および要部断面図。
【図１１】本発明のキャリーバッグの第４の実施の形態を示し、その底部を伸ばした状態の斜視図および、底部を折り畳んだ状態を示す斜視図。
【符号の説明】
【００２３】
１  底面
２  車輪
３，４，５，６  側面
６ａ  余長部
７  第１ジッパーティース部
８  第２ジッパーティース部
９  スライド
【００２４】
10  ジッパー
11  アーム部
12  脚部
13  折返し部
16  プルタブ
17  バック本体
18  取手
【００２５】
20  ジッパーテープ
21  底板
22  取付材
23  底部
24  板材
25  リベット
26  立設用ガイド
【図１】
2007037755.tif 000003
【図２】
2007037755.tif 000004
【図３】
2007037755.tif 000005
【図４】
2007037755.tif 000006
【図５】
2007037755.tif 000007
【図６】
2007037755.tif 000008
【図７】
2007037755.tif 000009
【図８】
2007037755.tif 000010
【図９】
2007037755.tif 000011
【図１０】
2007037755.tif 000012
【図１１】
2007037755.tif 000013